(57)【要約】【課題】より効果的に開封時の内容物の飛散を防止することができるとともに、使用時に内容物がこぼれにくいポーション容器の構造を提供する。【解決手段】容器本体部１１の上部開口部１２の外周鍔部１３にシート状蓋体２０がシール部２５を介して封止され、蓋体２０に設けられたつまみ部２１の引き上により開封可能に構成されたポーション容器１０において、蓋体２０のシール部２５の外側のつまみ部２１以外の位置に該シール部２５より強い接合力を有するスポット溶着部３０を設けて、蓋体２０の開放を段階的に規制するようにしたことを特徴とする。【選択図】図１
2014196117.tif 000002
【特許請求の範囲】
【請求項１】
容器本体部の上部開口部の外周鍔部にシート状蓋体がシール部を介して封止され、前記蓋体に設けられたつまみ部の引き上により開封可能に構成されたポーション容器において、
前記蓋体の前記シール部の外側の前記つまみ部以外の位置に該シール部より強い接合力を有するスポット溶着部を設けて、前記蓋体の開放を段階的に規制するようにした
ことを特徴とするポーション容器の蓋構造。
【請求項２】
前記スポット溶着部が、前記つまみ部を通る中心線に対して対称位置に形成されている請求項１に記載のポーション容器の蓋構造。
【請求項３】
前記スポット溶着部が、前記蓋体の開放量が半分となる位置に形成されている請求項１又は２に記載のポーション容器の蓋構造。
【請求項４】
前記外周鍔部が４つの角隅部を有する四辺形状を有し、該角隅部の１つに前記つまみ部が設けられ、少なくとも前記つまみ部に隣接する２つの角隅部に前記スポット溶着部が設けられている請求項１ないし３のいずれか１項に記載のポーション容器の蓋構造。
【請求項５】
請求項５の発明は、前記ポーション容器がマウスウォッシュ用である請求項１ないし４のいずれか１項に記載のポーション容器の蓋構造に係る。
【発明の詳細な説明】
【技術分野】
【０００１】
本発明は、ポーション容器の構造に関する。
【背景技術】
【０００２】
液状や粉状等の内容物が小分けして充填されるポーション容器は、携帯が容易で使用後に使い捨てが可能であることから、コーヒー等に使用されるシロップやミルク、ゼリーやジャム等の飲食物の他、マウスウォッシュ等の化粧品や医薬品等、様々な用途がある。
【０００３】
この種のポーション容器は、容器本体部の上部開口部の外周鍔部にシート状蓋体を熱融着等のシール部により接合して封止しており、蓋体に設けられたつまみ部を引き上げて容器本体部と蓋体との接合を剥離することによって開封される。このポーション容器では、開封時に容器本体部の上部開口部から内容物が飛散してこぼれ、手や衣服を汚してしまうことがあった。
【０００４】
そこで、開封時の内容物の飛散を防止するために、例えば、容器本体部の底部に外側に湾曲した球冠部を形成し、球冠部を容器内部側へ加圧するとともに蓋体の中央部を容器内側へ加圧して容器本体部に対して蓋体を封止し、その後、球冠部と蓋体の加圧を停止して球冠部と蓋体の復元力により容器内部を減圧状態とするように構成したポーション容器が知られている（例えば、特許文献１参照。）。このポーション容器では、容器内部が減圧状態であることにより、蓋体の開封時に外気が入り込んで内容物の飛散を防止する。
【０００５】
しかしながら、従来のポーション容器では、開封時に勢いよく蓋体を引き上げてしまうと、容器本体部と蓋体との接合を剥離する際に当該容器が激しく揺れて容器内部の減圧状態に関係なく内容物が飛散することがあった。また、勢い余って蓋体の開放量を大きくしてしまうと、使用時に内容物をこぼしやすくなってしまう問題があった。
【先行技術文献】
【特許文献】
【０００６】
【特許文献１】特開２０１０−２５４３０５号公報
【発明の概要】
【発明が解決しようとする課題】
【０００７】
本発明は、前記の点に鑑みなされたものであって、より効果的に開封時の内容物の飛散を防止することができるとともに、使用時に内容物がこぼれにくいポーション容器の構造を提供するものである。
【課題を解決するための手段】
【０００８】
すなわち、請求項１の発明は、容器本体部の上部開口部の外周鍔部にシート状蓋体がシール部を介して封止され、前記蓋体に設けられたつまみ部の引き上により開封可能に構成されたポーション容器において、前記蓋体の前記シール部の外側の前記つまみ部以外の位置に該シール部より強い接合力を有するスポット溶着部を設けて、前記蓋体の開放を段階的に規制するようにしたことを特徴とするポーション容器の蓋構造に係る。
【０００９】
請求項２の発明は、前記スポット溶着部が、前記つまみ部を通る中心線に対して対称位置に形成されている請求項１に記載のポーション容器の蓋構造に係る。
【００１０】
請求項３の発明は、前記スポット溶着部が、前記蓋体の開放量が半分となる位置に形成されている請求項１又は２に記載のポーション容器の蓋構造に係る。
【００１１】
請求項４の発明は、前記外周鍔部が４つの角隅部を有する四辺形状を有し、該角隅部の１つに前記つまみ部が設けられ、少なくとも前記つまみ部に隣接する２つの角隅部に前記スポット溶着部が設けられている請求項１ないし３のいずれか１項に記載のポーション容器の蓋構造に係る。
【００１２】
請求項５の発明は、前記ポーション容器がマウスウォッシュ用である請求項１ないし４のいずれか１項に記載のポーション容器の蓋構造に係る。
【発明の効果】
【００１３】
請求項１の発明に係るポーション容器の構造は、容器本体部の上部開口部の外周鍔部にシート状蓋体がシール部を介して封止され、前記蓋体に設けられたつまみ部の引き上により開封可能に構成されたポーション容器において、前記蓋体の前記シール部の外側の前記つまみ部以外の位置に該シール部より強い接合力を有するスポット溶着部を設けて、前記蓋体の開放を段階的に規制するようにしたため、効果的に開封時の内容物の飛散を防止することができるとともに、使用時に内容物がこぼれにくいポーション容器を提供することができる。
【００１４】
請求項２の発明は、請求項１において、前記スポット溶着部が、前記つまみ部を通る中心線に対して対称位置に形成されているため、偏りなく蓋体を開放することができる。
【００１５】
請求項３の発明は、請求項１又は２において、前記スポット溶着部が、前記蓋体の開放量が半分となる位置に形成されているため、内容物の飛散を効果的に防止することができるとともに、適切な使用量の内容物を注出させやすくなる。
【００１６】
請求項４の発明は、請求項１ないし３において、前記外周鍔部が４つの角隅部を有する四辺形状を有し、該角隅部の１つに前記つまみ部が設けられ、少なくとも前記つまみ部に隣接する２つの角隅部に前記スポット溶着部が設けられているため、蓋体の開封時に容器本体部が保持しやすくなって内容物の飛散を抑制することができるとともに、スポット溶着部が形成しやすく、蓋体の適切な開放量を容易に設定することができる。
【００１７】
請求項５の発明は、請求項１ないし４において、前記ポーション容器がマウスウォッシュ用であるため、携帯して外出先で使用することが容易となるとともに、マウスウォッシュ液を飛散させずに容易に口内洗浄することができる。
【図面の簡単な説明】
【００１８】
【図１】本発明の一実施例に係るポーション容器の斜視図である。
【図２】図１のポーション容器の上面図である。
【図３】図１のポーション容器の概略断面図である。
【図４】シート状蓋体を全開させた状態を表したポーション容器の上面図及び概略断面図である。
【発明を実施するための形態】
【００１９】
図１〜図３に示すポーション容器１０は、液状、ゲル状、粒状、粉状等の内容物を小分けして充填するためのものであって、容器本体部１１の上部開口部１２の外周鍔部１３にシート状蓋体２０がシール部２５を介して封止され、蓋体２０に設けられたつまみ部２１の引き上により開封可能に構成される。
【００２０】
ポーション容器１０の内容物において、液状内容物は、ミルク、ガムシロップ、クリーム、ドレッシング、ハチミツ等の食料品、マウスウォッシュや化粧水等の化粧品、液体薬等の医薬品等が挙げられる。ゲル状内容物は、ゼリー、ジャム、プリン等の食料品、ハンドクリーム等の化粧品等が挙げられる。粒状または粉状内容物は、砂糖、塩、こしょう、ココアパウダー、きな粉、粉チーズ等の食料品、漢方薬等の医薬品等が挙げられる。なお、実施例のポーション容器１０は、内容物としてマウスウォッシュ液が充填されたマウスウォッシュ用容器である。
【００２１】
容器本体部１１は、上記各内容物が充填可能な適宜の形状からなり、図１〜図３に示すように、上部開口部１２の全周に亘って外周鍔部１３が形成される。実施例の容器本体部１１は、外周鍔部１３が４つの角隅部１４ａ，１４ｂ，１４ｃ，１４ｄを有する四辺形状を有する。そのため、後述するシート状蓋体２０の開封時に容器本体部１１を保持しやすくなり、開封時における内容物の飛散を抑制することができる。図において、符号１５は底部、１６は底部１５から上部開口部１２へ向けて立設された側壁部である。
【００２２】
容器本体部１１の材質としては、ポリエチレン、ポリプロピレン、ポリスチレン、ポリエチレンテレフタレート、ポリ塩化ビニル等の公知の熱可塑性樹脂からなり、真空成形等により所定形状に容易に成形し得ることができる。また、容器本体部１１の内容量は、充填される内容物や用途等により適宜決定されるが、１度の使用で必要かつ使い切り可能な分量とされ、例えば、５〜２０ｍｌである。内容量が５ｍｌ未満である場合、１度の使用量として不十分であり、２０ｍｌより多い場合、１度の使用で使い切るには多すぎることが問題となる。
【００２３】
シート状蓋体２０は、ポリスチレン、ポリプロピレン、ポリエチレンテレフタレート、ポリエステル等の熱可塑性樹脂やアルミニウムシート等の単体または複数の積層シートからなり、図１〜図３に示すように、外周鍔部１３にシール部２５を介して封止される。このシート状蓋体２０は、外周形状が外周鍔部１３と略同一に形成されるとともに、外側に突出した舌片状のつまみ部２１が形成される。実施例のシート状蓋体２０は、４つの角隅部１４ａ，１４ｂ，１４ｃ，１４ｄを有する四辺形状の外周鍔部１３と同形状に形成され、１の角隅部１４ａにつまみ部２１が設けられている。
【００２４】
シール部２５は、図１〜図３に示すように、容器本体部１１の外周鍔部１３とシート状蓋部２０とを全周に亘って剥離可能に接合して容器本体部１１の上部開口部１２を封止するものであり、従来公知の熱融着や接着剤等が用いられる。
【００２５】
本発明のポーション容器１０の構造は、図１〜図３に示すように、蓋体２０のシール部２５の外側のつまみ部２１以外の位置に該シール部２５より強い接合力を有するスポット溶着部３０を設けて、蓋体２０の開放を段階的に規制するように構成される。
【００２６】
スポット溶着部３０は、図１（ａ），図２（ａ），図３（ａ）に示すように、容器本体部１１の外周鍔部１３とシート状蓋体２０とを点状で溶着させた部分であり、公知のスポット溶接により複数箇所に形成される。このスポット溶着部３０は、シール部２５より強い接合力を有し、シール部２５が剥離可能な程度の力でシート状蓋体２０を引き上げた場合には剥離されない。そのため、図１（ｂ），図２（ｂ），図３（ｂ）に示すように、つまみ部２１の引き上げにより、つまみ部２１からスポット溶着部３０へ至るまでのシール部２５ａにおいて蓋体２０が剥離されて上部開口部１２が部分的に開放されるとともに、スポット溶着部３０以降のシール部２５ｂにおいては容器本体部１１の外周鍔部１３と蓋体２０との接合が維持されて蓋体２０の開放量が規制される。なお、必要に応じてつまみ部２１をより強力に引き上げることで、図４に示すように、スポット溶着部３０における蓋体２０を剥離させて上部開口部１２を全開させることも可能である。
【００２７】
また、スポット溶着部３０は、図２（ａ）に示すように、つまみ部２１を通る中心線Ｍに対して対称位置３１，３２に形成される。そのため、つまみ部２１を引き上げた際には、蓋体２０がつまみ部２１に対して左右等しく剥離されて、偏りなく蓋体２０を開放することができる。従って、内容物をこぼさずに注出しやすくなる。
【００２８】
さらに、スポット溶着部３０は、図３（ｂ）に示すように、蓋体２０の開放量が全開Ｏ１に対して略半分Ｏ２となる位置に形成される。これにより、上部開口部１２が開放しすぎず内容物の飛散を効果的に防止することができるとともに、上部開口部１２が適度に開放されて適切な使用量の内容物を注出させやすくなる。
【００２９】
また特に、実施例のように容器本体部１１の外周鍔部１３が４つの角隅部１４ａ，１４ｂ，１４ｃ，１４ｄを有する四辺形状である場合、スポット溶着部３０は、図１，２に示すように、少なくとも１つの角隅部１４ａに設けられたつまみ部２１に隣接する２つの角隅部１４ｂ、１４ｃに設けられる。これにより、スポット溶着部３０が形成しやすくなるとともに、蓋体２０の適切な開放量を容易に設定することができる。
【００３０】
加えて、スポット溶着部３０は、つまみ部２１から対称位置（実施例では角隅部１４ａに隣接する角隅部１４ｂ，１４ｃ）のスポット溶着部３１，３２へ至る部分以外の位置に適宜追加して設けることができる。例えば、図４に示すように、つまみ部２１の対向位置（実施例では、角隅部１４ａの対角位置の角隅部１４ｄ）にスポット溶着部３３を設けることにより、蓋体２０を全開させた場合であっても蓋体２０が容器本体部１１から切り離されず、使用後の容器本体部１１と蓋体２０とが分離して散らかる等のおそれがない。また図示しないが、対称位置のスポット溶着部３１，３２から対向位置のスポット溶着部３３へ至るまでの位置に他のスポット溶着部３０を適宜追加することも可能である。これにより、蓋体２０の開放を多段的に規制することができ、開放量の調節が容易となる。なお、この場合にもつまみ部２１を通る中心線Ｍに対して対称位置に追加して設けることにより、蓋体２０を偏りなく多段的に開放することができる。
【００３１】
以上図示し説明したように、本発明のポーション容器１０の構造は、シート状蓋体２０のシール部２５の外側のつまみ部２１以外の位置に該シール部２５より強い接合力を有するスポット溶着部３０を設けて、蓋体２０の開放を段階的に規制するようにしたため、蓋体２０の開封時にスポット溶着部３０において蓋体２０が容器本体部１１から剥離されず、容器本体部１１の上部開口部１２を部分的に開放した状態として、開封時に内容物が飛散しにくくなる。
【００３２】
また、蓋体２０を適切な開放量で開放させることが容易となるため、内容物の種類や用途に応じた開放量の容器を提供することができる。従って、使用時に内容物が飛散しにくくなる。
【００３３】
さらに、スポット溶着部３０をつまみ部２１を通る中心線Ｍに対して対称位置に形成することにより、開封時に蓋体２０をつまみ部２１に対して左右等しく剥離させることが容易となり、偏りなく蓋体２０を開放することができて内容物をこぼさずに注出しやすくなる。
【００３４】
加えて、スポット溶着部３０を蓋体の開放量が半分となる位置に形成することにより、上部開口部１２が開放しすぎず内容物の飛散を効果的に防止することができるとともに、上部開口部１２が適度に開放されて適切な使用量の内容物を注出させやすくなる。
【００３５】
特に、外周鍔部が４つの角隅部１４ａ，１４ｂ，１４ｃ，１４ｄを有する四辺形状を有し、該角隅部の１つ（１４ａ）につまみ部２１を設け、少なくともつまみ部２１に隣接する２つの角隅部１４ｂ，１４ｃにスポット溶着部３０を設けることにより、蓋体２０の開封時に容器本体部１１が保持しやすくなって内容物の飛散を抑制することができるとともに、スポット溶着部３０が形成しやすく、蓋体２０の適切な開放量を容易に設定することができる。
【００３６】
また、当該容器１０はマウスウォッシュ用として最適であり、携帯して外出先で使用することが容易となるとともに、マウスウォッシュ液を飛散させずに容易に口内洗浄することができる。
【００３７】
なお、本発明のポーション容器の構造は、前述の実施例のみに限定されるものではなく、発明の趣旨を逸脱しない範囲において構成の一部を適宜に変更して実施することができる。例えば、容器本体部の外周鍔部の形状を４つの角隅部を有する四辺形状としたが、これに限定されるものではなく、つまみ部に相当する箇所に突出部を有した略円形状にする等、内容物の種類や用途等に応じて適宜設定することができる。
【符号の説明】
【００３８】
１０    ポーション容器
１１    容器本体部
１２    上部開口部
１３    外周鍔部
２０    シート状蓋体
２１    つまみ部
２５    シール部
３０    スポット溶着部
【図１】
2014196117.tif 000003
【図２】
2014196117.tif 000004
【図３】
2014196117.tif 000005
【図４】
2014196117.tif 000006